(57)【要約】【課題】磁性吸着部品の提供。【解決手段】磁性吸着部品に関するものである。その中に少なくとも二つの相対的に配置する面を含む。又、その二つの配置する面は磁気吸着面及び非磁気の吸着面であるので、その磁気の吸着面を別一つの磁性の材質がある表面に吸着することで定位を形成する。その非磁性の吸着面の両側縁の間に一つのコンケーブスロットを設けてあるし、そのコンケーブスロットに一つの幅がやや狭い開口部を設けることで、予め文字又は模様又はマークを設けてある標示板の両側の上方に止めることができるので、その標示板が穏やかでそのコンケーブスロートの中に定位することができる。【選択図】図１
0003121824.tif 000002
【実用新案登録請求の範囲】
【請求項１】
磁性吸着部品に関するものであり、その中、少なくとも二つの相対的に配置する磁気吸着面及び非磁気の吸着面を含み、その非磁性の吸着面の両側縁の間に一つの縦方向へ伸ばすコンケーブスロットを設けることにより、標示板と結合することができ、その特徴は、  そのコンケーブスロットに一つの幅がやや狭く上に向かう開口部を設けることで、その開口部の内縁を利用して、収納空間の間に嵌めて設ける標示板の両側に止めることができるので、標示板を穏やかにコンケーブスロットの中に定位することができることを特徴とする磁性吸着部品。
【請求項２】
請求項１に記載される磁性吸着部品において、そのコンケーブスロット底部の両側にそれぞれ外部へ突出するサイドコンケーブスロットを設け、その標示板の両側に嵌めて設けることができることを特徴とする磁性吸着部品。
【請求項３】
請求項１に記載される磁性吸着部品において、そのコンケーブスロットの両側縁の厚さが最も外側からだんだん開口部へ縮減することで、一つの内部の斜面を形成し、その内部の斜面をちょうど標示板の両側の上方に押すことで定位を形成することを特徴とする磁性吸着部品。
【請求項４】
請求項３に記載される磁性吸着部品において、そのコンケーブスロットにある二つの内部の斜面の底部がそれぞれ外部へ突出して一つのアークスロット面を形成することで、その標示板の両側に嵌めて設けることができることを特徴とする磁性吸着部品。
【請求項５】
請求項１又は請求項２又は請求項３又は請求項４に記載される磁性吸着部品において、その磁性部品の両側の外縁に非磁気の吸着面より磁気の吸着面へだんだん縮減する斜めの削った面を設けることを特徴とする磁性吸着部品。
【請求項６】
請求項１又は請求項２又は請求項３又は請求項４に記載される磁性吸着部品において、その磁性部品両側の外縁の中段にそれぞれ一つの外側コンケーブスロットを設けてあることを特徴とする磁性吸着部品。
【請求項７】
請求項６に記載される磁性吸着部品において、その外側コンケーブスロットは正方形断面を呈する正方形外側コンケーブスロットであることを特徴とする磁性吸着部品。
【請求項８】
請求項６に記載される磁性吸着部品において、その外側コンケーブスロットはアーク形断面を呈する正方形外側コンケーブスロットであることを特徴とする磁性吸着部品。
【請求項９】
請求項１又は請求項２又は請求項３又は請求項４に記載される磁性吸着部品において、その標示板の外部の表面に文字又は模様又はその他マークを設けてあることを特徴とする磁性吸着部品。
【請求項１０】
請求項５に記載される磁性吸着部品において、その標示板の外部の表面に文字又は模様又はその他マークを設けてあることを特徴とする磁性吸着部品。
【請求項１１】
請求項６に記載される磁性吸着部品において、その標示板の外部の表面に文字又は模様又はその他マークを設けてあることを特徴とする磁性吸着部品。
【請求項１２】
請求項７に記載される磁性吸着部品において、その標示板の外部の表面に文字又は模様又はその他マークを設けてあることを特徴とする磁性吸着部品。
【請求項１３】
請求項８に記載される磁性吸着部品において、その標示板の外部の表面に文字又は模様又はその他マークを設けてあることを特徴とする磁性吸着部品。
【請求項１４】
請求項１から請求項１３までに記載される磁性吸着部品において、その表面に光の物質を設けてあることを特徴とする磁性吸着部品。
【考案の詳細な説明】
【技術分野】
【０００１】
本考案は磁性吸着部品に関するものである、特に標示板を穏やかで非磁気の吸着面に結合できる磁性吸着部品を指す。
【背景技術】
【０００２】
従来の磁性吸着部品（磁性押し条片）の構造について、より伝統的のものはプラスチック条片の外枠に縦方向に沿って一つのコンケーブスロットを設け、そのコンケーブスロットの中に一つのマグネットを嵌めて設けることで、そのマグネットの磁性が別一つの磁性の材質がある（鉄を含む材料又は別一つのマグネット）表面に吸着する特性を利用して、紙、プラスチック条片又はその他の軽くて薄いものを挟むことができるし、プラスチック条片の外枠を使って使用する場合、使用者が持ちやすくなるので、便利で簡単に上述のような吸着固定の方式を実施することができるが、上述の構造によってプラスチック条片の外枠に模様又は文字を使う場合、転写又は印刷の方式で加工することが必要なので、その加工プロセスが非常に複雑で困難であるし、その模様、文字とプラスチック条片の外枠を結合する場合の安定性が足りないので、その耐久性が良くないのである。
【０００３】
最近、特許文献１「磁性を持つ押し条片の構造改良」の考案に記載されるものは、一つのマグネット条片ユニットの上に、少なくとも一つの磁気の吸着面及び一つの非磁気の吸着面を設けてあるし、その非磁気の吸着面にコンケーブスロットを設けることで、コンケーブスロットの深さ及び深さの飾りプレートと平坦に貼って結合することで、そのマグネットユニットの上にある飾りプレートを貼った後、マグネット条片ユニットのコンケーブスロットの縁を超えないため、全体の表面に平坦を維持できるので、反り、剥ぎを避ける効果があるが、上述の構造によって、組み合わせる場合、接着剤で粘着しないと、その飾りプレートをマグネットユニットの非磁気の吸着面の上にあるコンケーブスロットに貼ることができない。このような加工方式は製造時間及びコストを増えるし、それを組み合わせた後の耐久性が良くない（接着剤脱落の現象を生じやすい）のである。
【０００４】
【特許文献１】台湾特許公示第５２５８５８号明細書
【考案の開示】
【考案が解決しようとする課題】
【０００５】
本考案の主な目的は磁性吸着部品を提供するものである。それは表面に予め模様又は文字又はマークを設けてある飾りプレートとしっかり結合することで、その標示板を持久的にしっかりで結合する効果がある。
【０００６】
本考案の別一つの目的は磁性吸着部品を提供するものである。その飾りプレートは非常に簡単で組み立てられるし、必要によって飾りプレートを交換することもできるので、コストダウン及び任意に標示板の内容を変更できる効果を備えるのである。
【０００７】
本考案は上述の目的及び効果を達成するための技術手段は下記を含む。その磁性吸着部品に少なくとも二つの相対的に配置する磁気吸着面及び非磁気の吸着面を含む。その非磁性の吸着面の両側縁の間に一つの縦方向へ伸ばすコンケーブスロットを設けることで、その表面に予め模様又は文字を設けてある標示板と結合することができる。更に、そのコンケーブスロットの上方に一つの幅がやや狭い開口部を設けることで、その標示板の両側の上方に止めることができるので、標示板に穏やかな定位作用を形成する。
【課題を解決するための手段】
【０００８】
請求項１の考案は、磁性吸着部品に関するものであり、その中、少なくとも二つの相対的に配置する磁気吸着面及び非磁気の吸着面を含み、その非磁性の吸着面の両側縁の間に一つの縦方向へ伸ばすコンケーブスロットを設けることにより、標示板と結合することができ、その特徴は、
そのコンケーブスロットに一つの幅がやや狭く上に向かう開口部を設けることで、その開口部の内縁を利用して、収納空間の間に嵌めて設ける標示板の両側に止めることができるので、標示板を穏やかにコンケーブスロットの中に定位することができることを特徴とする磁性吸着部品としている。
請求項２の考案は、請求項１に記載される磁性吸着部品において、そのコンケーブスロット底部の両側にそれぞれ外部へ突出するサイドコンケーブスロットを設け、その標示板の両側に嵌めて設けることができることを特徴とする磁性吸着部品としている。
請求項３の考案は、請求項１に記載される磁性吸着部品において、そのコンケーブスロットの両側縁の厚さが最も外側からだんだん開口部へ縮減することで、一つの内部の斜面を形成し、その内部の斜面をちょうど標示板の両側の上方に押すことで定位を形成することを特徴とする磁性吸着部品としている。
請求項４の考案は、請求項３に記載される磁性吸着部品において、そのコンケーブスロットにある二つの内部の斜面の底部がそれぞれ外部へ突出して一つのアークスロット面を形成することで、その標示板の両側に嵌めて設けることができることを特徴とする磁性吸着部品としている。
請求項５の考案は、請求項１又は請求項２又は請求項３又は請求項４に記載される磁性吸着部品において、その磁性部品の両側の外縁に非磁気の吸着面より磁気の吸着面へだんだん縮減する斜めの削った面を設けることを特徴とする磁性吸着部品としている。
請求項６の考案は、請求項１又は請求項２又は請求項３又は請求項４に記載される磁性吸着部品において、その磁性部品両側の外縁の中段にそれぞれ一つの外側コンケーブスロットを設けてあることを特徴とする磁性吸着部品としている。
請求項７の考案は、請求項６に記載される磁性吸着部品において、その外側コンケーブスロットは正方形断面を呈する正方形外側コンケーブスロットであることを特徴とする磁性吸着部品としている。
請求項８の考案は、請求項６に記載される磁性吸着部品において、その外側コンケーブスロットはアーク形断面を呈する正方形外側コンケーブスロットであることを特徴とする磁性吸着部品としている。
請求項９の考案は、請求項１又は請求項２又は請求項３又は請求項４に記載される磁性吸着部品において、その標示板の外部の表面に文字又は模様又はその他マークを設けてあることを特徴とする磁性吸着部品としている。
請求項１０の考案は、請求項５に記載される磁性吸着部品において、その標示板の外部の表面に文字又は模様又はその他マークを設けてあることを特徴とする磁性吸着部品としている。
請求項１１の考案は、請求項６に記載される磁性吸着部品において、その標示板の外部の表面に文字又は模様又はその他マークを設けてあることを特徴とする磁性吸着部品としている。
請求項１２の考案は、請求項７に記載される磁性吸着部品において、その標示板の外部の表面に文字又は模様又はその他マークを設けてあることを特徴とする磁性吸着部品としている。
請求項１３の考案は、請求項８に記載される磁性吸着部品において、その標示板の外部の表面に文字又は模様又はその他マークを設けてあることを特徴とする磁性吸着部品としている。
請求項１４の考案は、請求項１から請求項１３までに記載される磁性吸着部品において、その表面に光の物質を設けてあることを特徴とする磁性吸着部品としている。  
【考案の効果】
【０００９】
本考案は磁性吸着部品を提供するものである。それは表面に予め模様又は文字又はマークを設けてある飾りプレートとしっかり結合することで、その標示板を持久的にしっかりで結合する効果がある。
【考案を実施するための最良の形態】
【００１０】
図１はこの考案の第一実施例の構造と関連する標示板の分解図である。図２の組み合わせの外観図及び図３の組み合わせの断面図を参照すると下記のことがはっきりわかる。この考案の第一実施例の構造は主に一つの磁性部品１の表面に少なくとも二つの相対的に配置する磁気の吸着面１１及び非磁気の吸着面１２を含む。その磁気の吸着面１１が別一つの磁性の材質がある（鉄を含む材料又は別一つのマグネット）表面に吸着することができる。又、その非磁気の吸着面１２の両側縁の間に一つの縦方向へ伸ばすコンケーブスロット１２１を設け、
そのコンケーブスロット１２１底部の両側にそれぞれ側面へ突出するサイドコンケーブスロット１２２を設けてあり、そのコンケーブスロット１２１を利用して、ちょうど一つの標示板２を嵌めて結合することができる。更に、上述の二つのサイドコンケーブスロット１２２をちょうど標示板２の両側縁に嵌めることで、両者の間に穏やかに定位することができる。又、その標示板２は紙又はプラスチック条片又は金属プレートを使ってもよいのである。その表面に予め文字又は模様又はマーク２１を設けてあるし、その文字又は模様又はマーク２１がそのコンケーブスロット１２１のトップ側にある開口部を通して、外部へ標示する状態を形成する。
【００１１】
その磁性部品１が非磁気の吸着面１２の両側に、磁気の吸着面１１より外部へ突出する外部突出部１３を設けてあるので、使用者が指で簡単にその外部突出部１３に力を出して、下へ向いて押すか上へ向かって動かすことで、その磁性部品１の磁気の吸着面１１が簡単に角度変位を生じることで、その磁気吸着の部分を離れることができる。
【００１２】
図４はこの考案の第二実施例の構造と関連する標示板の組み合わせの断面図である。図５の関連する標示板の組み合わせの断面図を参照すると下記のことがわかる。その磁性部品３の主要な構造はすべて磁性部品１と類似する。その差異は、その磁性部品３のコンケーブスロット３２１の両側縁の厚さが最も外側からだんだん開口部へ縮減することで、一つの内部の斜面３２２（即ち、そのコンケーブスロット３２１に一つの幅がより狭い開口部がある）を形成する。その内部の斜面３２２を標示板２の両側の上方に押すことで、その標示板２がコンケーブスロット３２１の内部に穏やかな定位を形成する。
【００１３】
図６はこの考案の第三実施例の構造説明図である。図７の関連する標示板の組み合わせの断面図を参照すると下記のことがわかる。その磁性部品３０は磁気性部品３を基礎として、その内部の斜面３２２とコンケーブスロット３２１の底部の接続する場所に一つのより大きいアーク形のスロット面３２３を設けることで、その標示板２が内部の斜面３２２に押されるため、その両側の上方に定位を形成する場合、その標示板２の両側縁がもっとコンケーブスロット３２１の内部の両側に近づくことができるので、その安定性がもっと理想になる。
【００１４】
図８〜１１はこの考案の外側縁の実行可能の実施例の構造説明図である。各図面の通り、この考案の磁性部品４が両側の外縁にまっすぐで伸ばす垂直面４１（図８の通り）を設けることかできる。又は磁性部品４０の両側の外縁に非磁気の吸着面４０２より磁気の吸着面４０１へだんだん縮減する斜めの削った面４０３ （図９の通り）を設けることもできる。又、その磁性部品５両側の外縁の中段にそれぞれ一つの正方形断面を呈する正方形外側コンケーブスロット５１（図１０の通り）を設けてあり、又は、磁性部品５０両側の外縁の中段にそれぞれ一つのアーク形断面を呈するアーク形外側コンケーブスロット５０１（図１１の通り）を設けてある。上述によって、この考案の磁性吸着部品両側の外縁が必要によって異なる構造を呈することができる。
【００１５】
本考案の上述の標示板２を直接磁性部品のコンケーブスロットに嵌めて挟まれる方式で固定するほか、結合の強度を高めるため、そのコンケーブスロットの底面及び標示板２の間に適量の接着剤を塗布することもできる。又、全体の磁性部品の表面に光沢のある物質を設けることで、その表面の平滑化を高めることができる。
【００１６】
上述によって、この考案の磁性吸着部品は確実に簡単で穏やかに一つの標示板を結合することで、予め設けてある模様、文字を標示する効果をあるので、産業上の利用性、新奇性及び進歩性を持つことと思われる。
【図面の簡単な説明】
【００１７】
【図１】本考案の第一実施例の構造と関連する標示板の分解図である。
【図２】本考案の第一実施例の構造と関連する標示板の組み合わせの外観図である。
【図３】本考案の第一実施例の構造と関連する標示板の組み合わせの断面図である。
【図４】本考案の第二実施例の構造説明図である。
【図５】本考案の第二実施例の構造と関連する標示板の組み合わせの断面図である。
【図６】本考案の第三実施例の構造説明図である。
【図７】本考案の第三実施例の構造と関連する標示板の組み合わせの断面図である。
【図８】本考案の外側縁の第一の実行可能の実施例の構造説明図である。
【図９】本考案の外側縁の第二の実行可能の実施例の構造説明図である。
【図１０】本考案の外側縁の第三の実行可能の実施例の構造説明図である。
【図１１】本考案の外側縁の第四の実行可能の実施例の構造説明図である。
【符号の説明】
【００１８】
１、３、３０、４、４０、５、５０１  磁性部品
１１、４０１  磁気の吸着面
１２、４０２  非磁気の吸着面
１２１、３２１  コンケーブスロット
１２２  サイドコンケーブスロット
１３  外部突出部
２  標示板
２１  文字又は模様又はマーク
３２２  内部の斜面
３２３  アーク形のスロット面
４１  垂直面
４０３  斜めの削った面
５１  正方形外側コンケーブスロット
５０１  アーク形外側コンケーブスロット
【図１】
0003121824.tif 000003
【図２】
0003121824.tif 000004
【図３】
0003121824.tif 000005
【図４】
0003121824.tif 000006
【図５】
0003121824.tif 000007
【図６】
0003121824.tif 000008
【図７】
0003121824.tif 000009
【図８】
0003121824.tif 000010
【図９】
0003121824.tif 000011
【図１０】
0003121824.tif 000012
【図１１】
0003121824.tif 000013
【手続補正書】
【提出日】平成18年3月10日(2006.3.10)
【手続補正１】
【補正対象書類名】実用新案登録請求の範囲
【補正対象項目名】請求項１４
【補正方法】変更
【補正の内容】
【請求項１４】
請求項１〜請求項１３のいずれか一項に記載の磁性吸着部品において、その表面に光の物質を設けてあることを特徴とする磁性吸着部品。
【手続補正２】
【補正対象書類名】明細書
【補正対象項目名】０００８
【補正方法】変更
【補正の内容】
【０００８】
請求項１の考案は、磁性吸着部品に関するものであり、その中、少なくとも二つの相対的に配置する磁気吸着面及び非磁気の吸着面を含み、その非磁性の吸着面の両側縁の間に一つの縦方向へ伸ばすコンケーブスロットを設けることにより、標示板と結合することができ、その特徴は、
そのコンケーブスロットに一つの幅がやや狭く上に向かう開口部を設けることで、その開口部の内縁を利用して、収納空間の間に嵌めて設ける標示板の両側に止めることができるので、標示板を穏やかにコンケーブスロットの中に定位することができることを特徴とする磁性吸着部品としている。
請求項２の考案は、請求項１に記載される磁性吸着部品において、そのコンケーブスロット底部の両側にそれぞれ外部へ突出するサイドコンケーブスロットを設け、その標示板の両側に嵌めて設けることができることを特徴とする磁性吸着部品としている。
請求項３の考案は、請求項１に記載される磁性吸着部品において、そのコンケーブスロットの両側縁の厚さが最も外側からだんだん開口部へ縮減することで、一つの内部の斜面を形成し、その内部の斜面をちょうど標示板の両側の上方に押すことで定位を形成することを特徴とする磁性吸着部品としている。
請求項４の考案は、請求項３に記載される磁性吸着部品において、そのコンケーブスロットにある二つの内部の斜面の底部がそれぞれ外部へ突出して一つのアークスロット面を形成することで、その標示板の両側に嵌めて設けることができることを特徴とする磁性吸着部品としている。
請求項５の考案は、請求項１又は請求項２又は請求項３又は請求項４に記載される磁性吸着部品において、その磁性部品の両側の外縁に非磁気の吸着面より磁気の吸着面へだんだん縮減する斜めの削った面を設けることを特徴とする磁性吸着部品としている。
請求項６の考案は、請求項１又は請求項２又は請求項３又は請求項４に記載される磁性吸着部品において、その磁性部品両側の外縁の中段にそれぞれ一つの外側コンケーブスロットを設けてあることを特徴とする磁性吸着部品としている。
請求項７の考案は、請求項６に記載される磁性吸着部品において、その外側コンケーブスロットは正方形断面を呈する正方形外側コンケーブスロットであることを特徴とする磁性吸着部品としている。
請求項８の考案は、請求項６に記載される磁性吸着部品において、その外側コンケーブスロットはアーク形断面を呈する正方形外側コンケーブスロットであることを特徴とする磁性吸着部品としている。
請求項９の考案は、請求項１又は請求項２又は請求項３又は請求項４に記載される磁性吸着部品において、その標示板の外部の表面に文字又は模様又はその他マークを設けてあることを特徴とする磁性吸着部品としている。
請求項１０の考案は、請求項５に記載される磁性吸着部品において、その標示板の外部の表面に文字又は模様又はその他マークを設けてあることを特徴とする磁性吸着部品としている。
請求項１１の考案は、請求項６に記載される磁性吸着部品において、その標示板の外部の表面に文字又は模様又はその他マークを設けてあることを特徴とする磁性吸着部品としている。
請求項１２の考案は、請求項７に記載される磁性吸着部品において、その標示板の外部の表面に文字又は模様又はその他マークを設けてあることを特徴とする磁性吸着部品としている。
請求項１３の考案は、請求項８に記載される磁性吸着部品において、その標示板の外部の表面に文字又は模様又はその他マークを設けてあることを特徴とする磁性吸着部品としている。
請求項１４の考案は、請求項１〜請求項１３のいずれか一項に記載の磁性吸着部品において、その表面に光の物質を設けてあることを特徴とする磁性吸着部品としている。